(57)【要約】【課題】  モニタカメラ装置として携帯端末装置を使用することによって小型、軽量及び低コストな監視システムを提供すること。【解決手段】  監視システム１は、例えば、ガスの消し忘れ対策として自宅のガスレンジのつまみ部等を監視対象２とする監視システムであって、カメラ（撮影手段）３を備えるカメラ付き携帯電話機（携帯端末装置）５と、カメラ付き携帯電話機５と通信可能なモニタ画面付き携帯電話機（通信装置、他の携帯端末装置）とを備えている。このカメラ付き携帯電話機５は、モニタ画面付き携帯電話機から送信された撮影指令に基づきカメラ３で監視対象２を撮影するとともに、撮影した画像データをモニタ画面付き携帯電話機に転送する監視制御回路（制御手段）７を備えている構成とした。【選択図】  図１
2005039618.tif 000002
【特許請求の範囲】
【請求項１】
撮影手段を備える携帯端末装置と、
該携帯端末装置と通信可能な通信装置とを備え、
前記携帯端末装置が、前記通信装置から送信された撮影指令に基づき前記撮影手段で監視対象を撮影するとともに撮影した画像データを前記通信装置に転送する制御手段を備え、
前記通信装置が、転送された前記画像データから得られた画像を表示する表示手段を備えていることを特徴とする監視システム。
【請求項２】
前記携帯端末装置が、前記通信装置から送信された撮影指令に基づき前記撮影手段で監視対象を撮影するとともに撮影した画像データを前記通信装置に転送する制御手段を備えていることを特徴とする請求項１に記載の監視システム。  
【請求項３】
前記通信装置が、前記携帯端末装置に撮影指令を送信し、これに基づいて撮影、転送された画像を表示する表示手段を備えていることを特徴とする請求項１に記載の監視システム。
【請求項４】
前記携帯端末装置を載置する支持部材を備えていることを特徴とする請求項１から３の何れか一つに記載の監視システム。
【請求項５】
前記支持部材が、前記通信装置から送信された指令に基づき前記携帯端末装置の撮影方向を変化させる駆動機構を備えていることを特徴とする請求項４に記載の監視システム。
【請求項６】
前記通信装置が、他の携帯端末装置であることを特徴とする請求項１から５の何れか一つに記載の監視システム。  
【発明の詳細な説明】
【技術分野】
【０００１】
本発明は、携帯端末装置を利用する監視システムに関する。
【背景技術】
【０００２】
ホームセキュリティ等の家庭レベルにおける監視システムとして、家庭内に設置したセンサやモニタカメラ装置によって収集した室内情報を遠隔地にある監視センタに伝送し、監視員が２４時間体制でこれらを監視するものが一般的に知られている。
一方、このような監視システムは、異常発生の検出率が高く安全性に優れる反面、専用のモニタカメラ装置を配設しなければならず、またこれらの消費電力も無視できず、人的コストを含めたシステムの管理・維持のコストが多大なものとなっていた。
そこで、上記の問題に対し、室内の様子を外出先からテレビジョン装置付き携帯端末によってモニタ可能として監視コストの低減化や省電力化を図ったものが提案されている（例えば、特許文献１参照。）。
【特許文献１】特開２０００−５９７６５号公報  （第１図）
【発明の開示】
【発明が解決しようとする課題】
【０００３】
しかしながら、上記従来の監視システムにおいては、複数のモニタカメラ装置を室内に設置し、これらをバス状ネットワークによりサーバ等に接続させて使用するため、モニタカメラ装置やサーバを室内に設置してネットワーク構築する必要があるとともにこれらを維持、管理しなければならず、依然として多大な監視コストが必要となっていた。
本発明は上記事情に鑑みて成されたものであり、モニタカメラ装置として携帯端末装置を使用することによって小型、軽量及び低コストな監視システムを提供することを目的とする。
【課題を解決するための手段】
【０００４】
本発明は、上記課題を解決するため、以下の手段を採用する。
本発明の監視システムは、撮影手段を備える携帯端末装置と、該携帯端末装置と通信可能な通信装置とを備え、前記携帯端末装置が、前記通信装置から送信された撮影指令に基づき前記撮影手段で監視対象を撮影するとともに撮影した画像データを前記通信装置に転送する制御手段を備え、前記通信装置が、転送された前記画像データから得られた画像を表示する表示手段を備えていることを特徴とする。
【０００５】
この監視システムは、上記の構成を有するので、離れた場所にいても携帯端末装置の利用可能エリアであれば、予め携帯端末装置の撮影手段を監視すべき監視対象に向けて設置しておくことにより必要なときに監視対象を撮影して状況を知ることができる。また、携帯端末装置を用いるので、電話回線への接続等に伴う設置場所の制約が少ないとともに小型・軽量であるため、様々な場所に設置可能となって幅広い監視対象に活用することができる。さらに、既存の携帯端末装置による通信システムを流用できるので、低コスト化を図ることができる。
【０００６】
本発明は、前記監視システムであって、前記携帯端末装置が、前記通信装置から送信された撮影指令に基づき前記撮影手段で監視対象を撮影するとともに撮影した画像データを前記通信装置に転送する制御手段を備えていることが好ましい。
この監視システムは、上記の構成を備えているので、電話回線への接続等に伴う設置場所の制約が少ないとともに小型・軽量であるため、様々な場所に設置可能となって幅広い監視対象に向けて設置しておくことができる。
【０００７】
本発明は、前記監視システムであって、前記通信装置が、前記携帯端末装置に撮影指令を送信し、これに基づいて撮影、転送された画像を表示する表示手段を備えていることが好ましい。
この監視システムは、上記の構成を備えているので、離れた場所にいても携帯端末装置の利用可能エリアであれば、携帯端末装置の撮影手段によって撮影された監視対象を表示手段によって確認して状況を知ることができる。
【０００８】
本発明は、前記監視システムであって、前記携帯端末装置を載置する支持部材を備えていることが好ましい。
この監視システムは、支持部材を備えているので、携帯端末装置を載置することによってブレのない撮影が可能になるとともに、安定した画像を通信装置に提供して監視を行うことができる。
【０００９】
本発明は、前記監視システムであって、前記支持部材が、前記通信装置から送信された指令に基づき前記携帯端末装置の撮影方向を変化させる駆動機構を備えていることが好ましい。
この監視システムは、上記構成を有するので、支持部材の向きを変えることによって携帯端末装置の撮影領域を広げることができる。したがって、監視対象が広角のものや複数のものであっても携帯端末装置によって監視することができる。
【００１０】
本発明は、前記監視システムであって、前記通信装置が、他の携帯端末装置であることが好ましい。
この監視システムは、上記構成を有するので、携帯端末装置の利用可能エリアであれば、いつでもどこでも所望のときに簡単に監視対象を監視することができる。
【発明の効果】
【００１１】
本発明の監視システムによれば、携帯端末装置を用いるので、監視システムを容易に小型化、軽量化することができ、低コストで効率の高い監視システムを得ることができる。
【発明を実施するための最良の形態】
【００１２】
本発明の第１の実施形態について、図１から図３を参照して説明する。
本実施形態に係る監視システム１は、例えば、ガスの消し忘れ対策として自宅のガスレンジのつまみ部等を監視対象２とする監視システムであって、図１及び図２に示すように、カメラ（撮影手段）３を備えるカメラ付き携帯電話機（携帯端末装置）５と、カメラ付き携帯電話機５と通信可能なモニタ画面付き携帯電話機（通信装置、他の携帯端末装置）６とを備えている。
このカメラ付き携帯電話機５は、モニタ画面付き携帯電話機６から送信された撮影指令に基づきカメラ３で監視対象２を撮影するとともに、撮影した画像データをモニタ画面付き携帯電話機６に転送する監視制御回路（制御手段）７を備えている。
【００１３】
カメラ付き携帯電話機５は、監視対象２を監視可能とする位置にカメラ３を向けて設置されている。
監視制御回路７は、特定の電話番号或いは所定のパスワードに対してのみ作動するようにプログラミングされている。
モニタ画面付き携帯電話機６は、複数の操作ボタン８を備える操作部１０と、転送された画像データから得られた画像１１を表示する液晶パネル（表示手段）１２とを備えており、利用可能エリア内であれば、外出先でもカメラ付き携帯電話機５と通話可能とされている。
【００１４】
次に、以上の構成からなる本実施形態の監視システム１の使用方法について図３に示すフローに従って説明する。
まず、ステップ１（Ｓ１）として、外出先のモニタ画面付き携帯電話機６から、自宅内のカメラ付き携帯電話機５にアクセスする。電話がつながると、ステップ２（Ｓ２）として、カメラ付き携帯電話機５の監視制御回路７が、所定の電話番号であることを認証する。
【００１５】
続いて、ステップ３（Ｓ３）として、モニタ画面付き携帯電話機６の所定の操作ボタン８Ａを操作して撮影指令をカメラ付き携帯電話機５に送信する。そして、ステップ４（Ｓ４）として、送信された撮影指令に基づき監視制御回路７がカメラ３を操作して監視対象２を撮影し、得られた画像データを、ステップ５（Ｓ５）として、モニタ画面付き携帯電話機６に転送する。こうして、ステップ６（Ｓ６）として、モニタ画面付き携帯電話機６は、転送された画像データから得られた画像１１を液晶パネル１２に表示する。
【００１６】
この監視システム１によれば、離れた場所にいてもカメラ付き携帯電話機５及びモニタ画面付き携帯電話機６の利用可能エリアであれば、予めカメラ付き携帯電話機５のカメラ３を監視すべき監視対象２に向けて設置しておくことにより、必要なときに監視対象２を撮影してその状況を知ることができる。
また、カメラ付き携帯電話機を用いるので、専用のカメラモニタ装置や、サーバ、モデム等を備える必要がないとともに、電話回線への接続等の設置場所の制約を考慮する必要がない。したがって、小型・軽量なカメラ付き携帯電話機５を様々な場所に設置することができ、幅広い監視対象を監視することができる。
さらに、既存のカメラ付き携帯電話機による通信システムを流用できるので、より低コスト化することができる。
【００１７】
次に、本発明に係る第２の実施形態について、図４及び図５を参照して説明する。なお、以下の説明において、上記実施形態において説明した構成要素には同一符号を付し、その説明は省略する。
第２の実施形態が上記第１の実施形態と異なる点は、第２の実施形態ではカメラ付き携帯電話機５を雲台（支持部材）１３上に載置した点である。
【００１８】
この雲台１３は、図４に示すように、カメラ付き携帯電話機５を載置する平板状の載置テーブル１５と、モニタ画面付き携帯電話機６から送信された指令に基づきカメラ付き携帯電話機５の撮影方向を変化させる駆動機構１６とを備えている。
駆動機構１６は、駆動源としての小型モータ１７と、載置テーブル１５をテーブル面方向とその鉛直方向とで形成される３次元座標系の各軸まわりに回転自在とさせる、例えば、電動式のアクチュエータ１８とを備えており、監視制御回路７によって制御される。
カメラ付き携帯電話機５の撮影方向は、モニタ画面付き携帯電話機６からの特定の操作ボタン８の操作に対応して予め決められた方向となるように監視制御回路７にプログラミングされた方向制御プログラムが起動されることによって制御される。
なお、この雲台１３に、カメラ付き携帯電話機５に電源を供給するＡＣアダプタを設けて、長時間連続して使用可能としても構わない。
【００１９】
次に、以上の構成からなる本実施形態の監視システム２０の使用方法について図５に示すフローに従って説明する。
まず、ステップ１（Ｓ１）として、外出先のモニタ画面付き携帯電話機６からカメラ付き携帯電話機５にアクセスし、ステップ２（Ｓ２）として、カメラ付き携帯電話機５の監視制御回路７が、所定の電話番号であることを認証する。
【００２０】
ここで、撮影方向を変えるか否かの判断（Ｄ）を行う。撮影方向を変えない場合にはＮＯの判断を行い、第１の実施形態と同様に、ステップ３（Ｓ３）として、モニタ画面付き携帯電話機６の所定の操作ボタン８Ａを操作して撮影指令をカメラ付き携帯電話機５に送信する。
そして、ステップ４（Ｓ４）として、送信された撮影指令に基づき監視対象２を撮影し、得られた画像データをステップ５（Ｓ５）としてモニタ画面付き携帯電話機６に転送する。こうして、ステップ６（Ｓ６）として、転送された画像データから得られた画像１１を液晶パネル１２に表示する。
【００２１】
一方、確認した画像１１とは異なる方向からの画像を確認したい場合、判断（Ｄ）にてＹＥＳの判断を行い、ステップ７（Ｓ７）に移行してモニタ画面付き携帯電話機６の所定の操作ボタン８Ｂを操作して監視制御回路７の方向制御プログラムを作動する。このとき、ステップ８（Ｓ８）として、雲台１３の駆動機構１６が作動して載置テーブル１５を駆動して、カメラ３を予め決められた所定の方向へ変化させる。
この後、再びステップ３（Ｓ３）に戻り、以降、ステップ６（ＳＴ６）までを順に繰り返す。
【００２２】
この監視システム２０によれば、雲台１３を備えているので、カメラ付き携帯電話機５を載置テーブル１５上に載置することによって、ブレのない撮影が可能となるとともに、安定した画像１１をモニタ画面付き携帯電話機６に提供して監視を行うことができる。
また、雲台１３に載置テーブル１５を回転自在とさせる駆動機構１６が設けられているので、載置テーブル１５の向きを変えることによってカメラ付き携帯電話機５の方向を変化することができ、カメラ３による撮影領域を広げることができる。したがって、監視対象２が大型なものや複数のものであっても、異なる角度からの撮影によって監視対象２全体を確認することができ、カメラ付き携帯電話機５による監視を行うことができる。
【００２３】
なお、本発明の技術範囲は上記実施の形態に限定されるものではなく、本発明の趣旨を逸脱しない範囲において種々の変更を加えることが可能である。
例えば、ステップ２（Ｓ２）、ステップ３（Ｓ３）を省略してステップ１（Ｓ１）におけるカメラ付き携帯電話機５へのアクセスと同時にステップ４（Ｓ４）における撮影を実施するものでも構わない。また、方向制御プログラムは、監視制御回路７に予めプログラミングされているものに限らず、モニタ画面付き携帯電話機６から送信しても構わない。
【００２４】
さらに、通信装置としてモニタ画面付き携帯電話機６に限らず、固定電話回線やインターネット回線に接続可能な通信可能なコンピュータでもよい。
また、カメラ付き携帯電話機５が、モニタ画面付き携帯電話機６からのパスワード入力によって認証するものとしても構わない。
また、制御手段に画像記録機能を設けて、予め決められた時刻或いは支持部材に設けられたセンサからの信号若しくは他の通信装置からの信号により撮影した画像データを記録し、通信装置に所定のタイミング若しくは通信装置からの要求によってこの画像データを転送してもよい。
また、携帯端末装置及び通信装置は、２画面以上、又は動画を送受信できるものでも構わない。この場合、監視対象が動きのあるものでも監視することができるとともに、支持部材がある場合には、携帯端末装置の撮影方向を通信装置で確認しながらその場で支持部材の方向を調整することができる。
また、撮影手段にズーム機能を設けて、通信装置からの信号によって制御させたものでも構わない。
【図面の簡単な説明】
【００２５】
【図１】本発明の第１の実施形態に係る監視システムにおいて、第１の携帯電話機によって監視対象を撮影する状態を示す図である。
【図２】本発明の第１の実施形態に係る監視システムにおいて、第２の携帯電話機によって監視対象を監視する状態を示す図である。
【図３】本発明の第１の実施形態に係る監視システムの使用方法を示すフローチャートである。
【図４】本発明の第２の実施形態に係る監視システムにおいて、第１の携帯電話機によって監視対象を撮影する状態を示す図である。
【図５】本発明の第２の実施形態に係る監視システムの使用方法を示すフローチャートである。
【符号の説明】
【００２６】
１、２０  監視システム
２  監視対象
３  カメラ（撮影手段）
５  カメラ付き携帯電話機（携帯端末装置）
６  モニタ画面付き携帯電話機（通信装置）
７  監視制御回路（制御手段）
１１  画像
１２  液晶パネル（表示手段）
１３  雲台（支持部材）
１６  駆動機構
【図１】
2005039618.tif 000003
【図２】
2005039618.tif 000004
【図３】
2005039618.tif 000005
【図４】
2005039618.tif 000006
【図５】
2005039618.tif 000007